(57)【要約】【課題】専用の固定具が不要で組付け作業性も良好な表示装置を提供することができる。【解決手段】表示パネル１と、この表示パネル１を保持するホルダー３と、このホルダー３の背後に設けられる硬質の回路基板４と、この回路基板４と表示パネル１を電気的に接続するフレキシブル配線板７とを、裏カバー９に収納してなる表示装置において、ホルダー３は、フレキシブル配線板７を保持するために連続形成された係止片（保持部）３００を有する。【選択図】図１
2011164155.tif 000002
【特許請求の範囲】
【請求項１】
表示器と、この表示器を保持するホルダーと、このホルダーの背後に設けられる回路基板と、この回路基板と前記表示器を電気的に接続するフレキシブル配線板とを有してなる表示装置において、前記ホルダーに前記フレキシブル配線板を収容する保持部を連続形成してなる表示装置。
【請求項２】
前記保持部が前記フレキシブル配線板をその引き回し方向に挿通させる挿通部と、この挿通部の貫通方向とは直交する一方向に開口し前記フレキシブル配線板を前記挿通部内に収容可能とする開口部とを有することを特徴とする請求項１に記載の表示装置。
【発明の詳細な説明】
【技術分野】
【０００１】
本発明は、例えば表示器の配線固定構造に関し、詳しくは表示器と回路基板とを電気的に接続するフレキシブル配線部材の固定構造に関するものである。
【背景技術】
【０００２】
この種の表示装置として、例えば表示パネルとして液晶パネルを用いたものが知られている。この表示装置は、ホルダーによって表示パネルが保持されるとともに、ホルダーの背後側に回路基板が配置され、その回路基板に実装された発光ダイオードなどの光源からの光で表示パネルが照明される。表示パネルと回路基板とは、表示パネルに設けられた電極端子と回路基板に設けられた回路パターンとが接続部材によって導電接続され、回路基板を通じて表示パネルに駆動信号を供給し、表示パネルに所定の表示を行わせるというものである。
【０００３】
また近年の回路基板は、表示パネルの小型化や高解像度化に対応できる例えば特許文献１に記載のような可撓性回路基板（ＦＰＣ、又はフレキシブル配線板）を用いたものが一般的となってきている。
【先行技術文献】
【特許文献】
【０００４】
【特許文献１】実開平５−７５７４３号公報
【発明の概要】
【発明が解決しようとする課題】
【０００５】
しかしながら、フレキシブル配線板は、硬質の回路基板との接続部が表示パネルを保持するホルダーの外周側に設けられているため、フレキシブル配線板を引き回して配設する接続スペースが必要となり、またフレキシブル配線板が撓んで浮き上がってしまった場合に、振動等によってフレキシブル配線部材の両端側が痛みやすく、またフレキシブル配線板の浮き上がりによって湾曲した箇所も損傷しやすく、その損傷による通電不良が発生するなどの問題点があった。
【０００６】
そのため、前記特許文献１では、ホルダーの外周に固定用の腕片を設け、ホルダーの外周に引き回されてフレキシブル配線板をプッシュナットからなる専用の固定具で固定保持しているが、別途専用の固定具が必要となることに加え、狭いスペースでは固定作業が困難になるというデメリットがあった。
そこで本発明は、専用の固定具が不要で作業性の良好なフレキシブル配線部材の固定構造を備えた表示装置を提供するものである。
【課題を解決するための手段】
【０００７】
そこで本発明は、表示パネルと、この表示パネルを保持するホルダーと、このホルダーの背後に設けられる回路基板と、この回路基板と前記表示パネルを電気的に接続するフレキシブル配線板とを有してなる表示装置において、前記ホルダーに前記フレキシブル配線板を収容する保持部を連続形成してなるものである。
【０００８】
また本発明は、前記保持部が前記フレキシブル配線板をその引き回し方向に挿通させる挿通部と、この挿通部の貫通方向とは直交する一方向に開口し前記フレキシブル配線板を前記挿通部内に収容可能とする開口部とを有するものである。
【発明の効果】
【０００９】
本発明によれば、専用の固定具が不要で作業性の良好なフレキシブル配線部材の固定構造を備えた表示装置を提供することができる。
【図面の簡単な説明】
【００１０】
【図１】本発明の第１の実施形態である表示装置の分解斜視図。
【図２】同実施形態の断面図。
【図３】同実施形態の要部拡大図。
【発明を実施するための形態】
【００１１】
本発明を車両用表示装置に適用した例を、図１から図３を用いて説明する。
【００１２】
本実施形態における表示装置は、透過型の液晶表示素子からなる表示パネル１と、この表示パネル１の裏面側に配置され光透過性を有する拡散板２と、表示パネル１及び拡散板２とが支持される合成樹脂からなるホルダー３と、表示パネルの背後に配置された硬質の回路基板４と、この回路基板４上に実装され液晶表示素子からなる表示パネルを背後から照明する光源としての発光ダイオード５を備えている。
【００１３】
また、発光ダイオード５からの照明光を表示パネル１と拡散板２へと導くための導光板６がホルダー３内に設置されている。
【００１４】
また、表示パネル１側と回路基板４側とを電気的に接続する可撓性の配線板であるフレキシブル配線板７が設けられている。
【００１５】
また、表示パネルの前面側には表示パネル１の周縁を覆う枠状の縁部を有する金属性のパネル抑え８が設けられてあり、ホルダー３に設けた係合突起３Ａに対してパネル抑え８に設けた係止孔部８Ａを嵌め込むことによって表示パネル１が抜け止め固定されている。
【００１６】
また、ホルダー３の周面部分と底面部分を覆いつつ、回路基板４が収納され、フレキシブル配線板７を覆いながら保護するための合成樹脂からなる裏カバー９がホルダー３の下側から嵌め込まれて固定保持されるように設けられている。
【００１７】
表示パネル１は、例えば一対のガラス基板間に液晶分子を封入した液晶パネルからなり、その端部にはフレキシブル配線板７と導通接続される複数の電極端子１０が設けられている。
【００１８】
ホルダー３は、例えば乳白色の合成樹脂からなり、底壁３０と、その底壁３０から連続して設けられる側周壁３１と、側周壁３１の上端側にて水平方向に延びて表示パネル１および拡散板２が載置される載置部３２が設けられている。この載置部３２から奥まった位置において、たとえば白色で発光する発光ダイオード５が点灯すると、発光ダイオード５側からの照射光が導光板６内へと導かれて面発光し、これらの光が拡散板２で拡散されて、たとえば表示部（図示せず）を除いた表示パネル１をほぼ均一に照明するようになっている。なお、満足する照明が得られるようであれば、導光板６や拡散板２は省略しても良い。
【００１９】
回路基板４は、たとえばガラスエポキシ系材料からなる硬質の回路基板で形成されており、フレキシブル配線板７を介して表示パネル１の各電極端子（図示せず）と導通接続される。この際、表示パネル１に駆動信号を供給する複数の回路パターン４０が回路基板４上に設けられており、回路基板４上の回路パターン４０から引き出し形成された複数の電極端子４１と回路基板４に実装されたコネクタ４２とを電気的に接続し、コネクタ４２を介してフレキシブル配線板７の電極端子（図示せず）と接続するように構成している。
【００２０】
表示パネル１を背後から照明する光源としての発光ダイオード５は、ホルダー３の内部側にて複数個の発光ダイオード５がほぼ等間隔にて配置されており、この発光ダイオード５は回路基板４の回路パターン４０上に実装されている。
【００２１】
フレキシブル配線板７は、合成樹脂からなる樹脂フィルムに所望の導電回路パターンを形成したものであり、この場合、表示パネル１に設けられた電極端子１０と回路基板４に設けられた回路パターン４０に設けられた電極端子４１側とが適宜接続部材にて導通接続され、回路基板４を通じて表示パネル１に駆動信号を供給し、表示パネル１に所定の表示を行わせるようになっている。
【００２２】
ホルダー３の側周壁３１には、図３に示すように、フレキシブル配線板７が保持されるための係止片（保持部）３００が突出形成されてある。
【００２３】
係止片３００は、フレキシブル配線板７をその引き回し方向ＤＲ１に挿通させる挿通部３０１と、この挿通部３０１の挿通方向とは直交する一方向ＤＲ２に開口する開口部３０２とを有するＬ字状の突出壁からなり、開口部３０２よりフレキシブル配線板７を挿通部３０１内に収容可能に設けている。
【００２４】
本実施形態における表示装置は以下のように組み付けられる。ホルダー３の底壁３０上に導光板６をセットし、次いでホルダー３に拡散板２と予めフレキシブル配線板７が導通接続された表示パネル１を載せ、次に枠状の縁部を有するパネル抑え８を表示パネル１の上側からホルダー３に被せ、ホルダー３に設けた係合突起３Ａに対してパネル抑え８を嵌め込み固定することにより表示パネル１が固定される。
【００２５】
このように本実施形態は、表示パネル１と、この表示パネル１を保持するホルダー３と、このホルダー３の背後に設けられる硬質の回路基板４と、この回路基板４と表示パネル１を電気的に接続するフレキシブル配線板７とを、裏カバー９に収納してなる表示装置において、ホルダー３は、フレキシブル配線板７を保持するために連続形成された係止片（保持部）３００を有することによって、専用の固定具が不要で組付け作業性も良好とすることができる。
【００２６】
また本実施形態は、係止片３００がフレキシブル配線板７をその引き回し方向ＤＲ１に挿通させる挿通部３０１と、この挿通部３０１の挿通方向とは直交する一方向ＤＲ２に開口しフレキシブル配線板７を挿通部３０１内に収容可能とする開口部３０２とを有することにより、特に小さなスペースでの組付け作業性を良好とすることができる。
【００２７】
また表示装置にはホルダー３の周面部分と底面部分を被いつつ、回路基板４の裏面側およびフレキシブル配線板７を被いながら保護するための合成樹脂製のアンダーカバー９によってホルダー３の下側から嵌め込みながら固定保持することにより、回路基板４とフレキシブル配線板７とを外周側から直接的に接触することを防ぐことができ、回路基板４上に実装された電子部品やフレキシブル配線板７およびフレキシブル配線板７の回路配線部７１に実装された電子部品７０を保護することができる。
【００２８】
なお、本実施形態では、表示パネルを表示器として設けたが、表示器は表示パネルと、この表示パネルと接続される表示器基板とを含むように構成してもよく、この場合、表示器基板と回路基板とをフレキシブル配線板で接続してもよい。
【符号の説明】
【００２９】
１      表示パネル（表示器）
２      拡散板
３      ホルダー
３Ａ    係合突起  
４      回路基板
５      発光ダイオード
６      導光板
７      フレキシブル配線板
８      パネル抑え
８Ａ    係止孔部
９      裏カバー
１０    電極端子
３１    側周壁
３２    載置部
３００  係止片
３０１  挿通部
３０２  開口部
【図１】
2011164155.tif 000003
【図２】
2011164155.tif 000004
【図３】
2011164155.tif 000005